(57)【要約】【課題】従来技術による基本的な構造の磁気誘導性の流量測定器を発展させる。【解決手段】測定管の中央領域において、測定管をケーシングと結合させる少なくとも１つの補強部を設ける。【選択図】図１
2010122216.tif 000002
【特許請求の範囲】
【請求項１】
測定管と、該測定管を少なくとも部分的に貫通する磁界を形成する磁界形成装置と、流体内に誘導される測定電圧を取り出すための２つの電極と、前記測定管、前記磁界形成装置および前記電極を収容するケーシングとを備えた、流体の流量を測定する磁気誘導性の流量測定器であって、
前記測定管は該測定管の長さにわたり可変の断面を有し、該断面は前記測定管の中央領域においては、該測定管の入口および出口における断面よりも小さく、前記ケーシングは有利には円形の断面を有する、磁気誘導性の流量測定器において、
前記測定管（１）の前記中央領域において、該測定管（１）を前記ケーシング（２）と結合させる少なくとも１つの補強部が設けられていることを特徴とする、磁気誘導性の流量測定器。
【請求項２】
補強部として少なくとも１つの支持体が設けられており、有利には、前記測定管（１）を前記ケーシング（２）と結合させる少なくとも２つの支持体（５，６）が設けられている、請求項１記載の磁気誘導性の流量測定器。
【請求項３】
前記測定管の前記中央領域において、前記測定管を包囲する補強部リングが設けられており、前記測定管は前記補強部リングおよび前記補強部を介して前記ケーシングと結合されている、請求項１または２記載の磁気誘導性の流量測定器。
【請求項４】
前記ケーシングの中央領域において補強部リングが設けられており、該補強部リングは前記ケーシングの内側または外側に配置されている、請求項１から３までのいずれか１項記載の磁気誘導性の流量測定器。
【請求項５】
少なくとも１つの支持体（５，６）が中空シリンダとして、有利には円環状の中空シリンダとして実施されている、請求項２から４までのいずれか１項記載の磁気誘導性の流量測定器。
【請求項６】
前記測定管を前記ケーシングと結合させる前記支持体上、または前記支持体内部に、前記磁界形成装置に属する磁気コイルが設けられている、請求項２から５までのいずれか１項記載の磁気誘導性の流量測定器。
【請求項７】
前記測定管を前記ケーシングと結合させる前記支持体内部に電極が設けられている、請求項５または６項記載の磁気誘導性の流量測定器。
【請求項８】
前記ケーシング（２）内に少なくとも１つの測定管形成エレメント（７）、有利には少なくとも２つの測定管形成エレメント（７，８）が設けられており、前記の１つの測定管形成エレメント（７）または複数の測定管形成エレメント（７，８）は前記ケーシング（２）の内側の表面（９）と共に前記測定管を形成し、有利には、前記測定管（１）ないし１つの測定管形成エレメント（７）または複数の測定管形成エレメント（７，８）は前記中央領域において平坦に実施されている、請求項１から７までのいずれか１項記載の磁気誘導性の流量測定器。
【請求項９】
前記測定管を前記ケーシングと結合させる前記支持体上、または前記支持体内部に、前記磁界形成装置に属する磁気コイルが設けられている、請求項1から8までのいずれか１項記載の磁気誘導性の流量測定器。
【請求項１０】
例えば請求項１から９までのいずれか１項記載の、測定管と、該測定管を少なくとも部分的に貫通する磁界を形成する磁界形成装置と、流体内に誘導される測定電圧を取り出すための２つの電極と、前記測定管、前記磁界形成装置および前記電極を収容するケーシングとを備えた、流体の流量を測定する磁気誘導性の流量測定器であって、
前記測定管は該測定管の長さにわたり可変の断面を有し、該断面は前記測定管の中央領域においては、該測定管の入口および出口における断面よりも小さく、前記ケーシングは有利には円形の断面を有する、磁気誘導性の流量測定器において、
前記測定管（１）は機能的に、有利には異なる曲率半径を有する、複数の区間から構成されていることを特徴とする、磁気誘導性の流量測定器。
【請求項１１】
前記測定管（１）は機能的に３つの区間、すなわちすなわち中央区間（１０）と該中央区間（１０）にそれぞれ続いている端部区間（１１，１２）とから構成されており、有利には機能的に５つの区間、すなわち中央区間（１０）と、該中央区間（１０）にそれぞれ続いている移行区間（１３，１４）と、該移行区間（１３，１４）にそれぞれ続いている端部区間（１１，１２）とから構成されている、請求項１０記載の磁気誘導性の流量測定器。
【請求項１２】
前記中央区間（１０）の曲率半径は、前記端部区間（１１，１２）の曲率半径よりも大きく、有利には、前記中央区間（１０）の曲率半径は前記移行区間（１３，１４）の曲率半径よりも大きい、請求項１１記載の磁気誘導性の流量測定器。
【請求項１３】
前記端部区間（１１，１２）は無限大に向かう曲率半径を有し、有利には前記測定管（１）の長手方向軸に対して約４０°〜５０°、有利には約４５°の角度で前記移行領域（１３，１４）に続く、請求項１２記載の磁気誘導性の流量測定器。
【請求項１４】
前記測定管の中央領域における壁の厚みは前記測定管の入口および出口における壁の厚みよりも薄い、請求項１から１３までのいずれか１項記載の磁気誘導性の流量測定器。
【請求項１５】
前記測定管ないし前記１つの測定管形成エレメントまたは前記複数の測定管形成エレメントは、支持体リングをサポートするために使用されるサポートエレメントないし前記支持体をサポートするために使用されるサポートエレメントを有する、請求項２から１４までのいずれか１項記載の磁気誘導性の流量測定器。
【請求項１６】
磁界形成装置には２つの磁気コイルが配属されている、請求項１５記載の磁気誘導性の流量測定器において、
サポートエレメントが前記磁界形成装置の前記磁気コイルのためのポールシューとして実施されていることを特徴とする、磁気誘導性の流量測定器。
【発明の詳細な説明】
【技術分野】
【０００１】
本発明は、測定管と、この測定管を少なくとも部分的に貫通する磁界を形成する磁界形成装置と、流体内に誘導される測定電圧を取り出すための２つの電極と、測定管、有利には磁界形成装置および電極も収容するケーシングとを備えた、流体の流量を測定する磁気誘導性の流量測定器に関し、前述の測定管はその長さにわたり可変の断面を有し、断面は測定管の中央領域においては、測定管の入口および出口における断面よりも小さく、またケーシングは有利には円形の断面を有する。
【背景技術】
【０００２】
磁気誘導性の流量測定器は従来技術において数十年来非常に広く知られている。これに関しては、例えば非特許文献１を参照されたい。
【０００３】
流体の流量を測定する磁気誘導性の流量測定器の基本原理はファラデーにまで遡る。ファラデーは既に1832年に、流体の流速を測定するために電磁誘導の原理を適用することを提案していた。ファラデーの電磁誘導の法則によれば、電荷を伴って磁界を通過する流体内には、流れ方向に対して垂直に、且つ磁界に対して垂直に電界が発生する。ファラデーの電磁誘導の法則は磁気誘導性の流量測定器において、通常の場合、電流が流される２つの磁気コイルを有する磁界形成装置を用いて磁界を形成し、この磁界を少なくとも部分的に測定管を通って案内させることによって利用される。この場合、形成された磁界は流れ方向に対して垂直に延在する少なくとも１つの成分を有する。磁界内では、この磁界を通過して移動し、またある程度の数の電荷を有している流体の各体積要素が、この体積要素内に生じている電界強度によって、電極を介して取り出される測定電圧に寄与している。
【０００４】
上述のように、磁気誘導性の流量測定器は数十年来広く知られたものであり、また数え切れないほどの実施形態が既知であるが、十分に発展した技術分野であるような磁気誘導性の流量測定器に関しても依然として発達が望まれており、また可能である。
【先行技術文献】
【非特許文献】
【０００５】
【非特許文献１】「Technische Durchflussmessung」、Prof. Dr.-Ing. K. W, Bonfig等著、第３版、Vulkan出版社Essen、2002年、第123〜167頁
【発明の概要】
【発明が解決しようとする課題】
【０００６】
したがって本発明が基礎とする課題は、冒頭で述べたような基本的な構造の磁気誘導性の流量測定器を発展させ、しかも、単独でも全体としても有意義である、全く異なる複数の観点から発展させることである。
【課題を解決するための手段】
【０００７】
この課題は、測定管の中央領域において、測定管をケーシングと結合させる少なくとも１つの補強部が設けられていることによって解決される。また測定管が機能的に、有利には異なる曲率半径を有する、複数の区間から構成されていることによって解決される。
【０００８】
殊に本発明による磁気誘導性の流量測定器は、測定管の中央領域においてこの測定管をケーシングと結合させる少なくとも１つの補強部が設けられていることを特徴とする。これにより、本発明による磁気誘導性の流量測定器においては、測定管とケーシングを構造的に全く異なるように設計および構成することができる。つまり、測定管を設計および構成する際には流体技術的な考察および誘導技術的な考察を優先させることができ、他方ではケーシングを設計および構成する際には通常の場合、機械的な考察を優先させることができる。本発明によれば、測定管の中央領域にはこの測定管をケーシングと結合させる補強部が設けられていることによって、測定管は必要とされる圧力耐性も有することができ、このような圧力耐性は本発明による補強部が設けられなければ得ることはできない。
【０００９】
測定管の中央領域に設けられており、且つ測定管をケーシングと結合させる本発明による補強部を種々に実施することができ、殊に、補強部として測定管の中央領域には（測定管とケーシングとの間に）少なくとも１つの支持体を設けることができる。
【００１０】
殊に、本発明による磁気誘導性の流量測定器において、補強部として、測定管とケーシングとの間に支持体が１つだけ設けられている場合、しかしながらそのような場合に限らずに、測定管の中央領域に、この測定管を包囲する補強部リングを設け、この補強部リングおよび補強部を介して、すなわち必要に応じて補強部として設けられている支持体を介して測定管をケーシングと結合させることが提案される。
【００１１】
本発明による磁気誘導性の流量測定器において、補強部として測定管とケーシングとの間にただ１つの支持体のみを設けることができるが、そのような非対称的な構造は推奨されない。むしろ有利には、測定管をケーシングと結合させる少なくとも２つの支持体が設けられる。
【００１２】
本発明による磁気誘導性の流量測定器において、測定管の中央領域に測定管を包囲する補強部リングを設けることができることは上記において既に示唆した。付加的（または択一的）に、ケーシングの中央領域にも、内側または外側に配置されている、補強部リングを設けることができる。
【００１３】
本発明による磁気誘導性の流量測定器においては、測定管の中央領域内に、測定管をケーシングと結合させる補強部として少なくとも１つの支持体が設けられている場合には、この１つの支持体または（複数設けられている場合には）複数の支持体を構造的および／または機能的に構成できる種々の可能性が存在する。殊に有利には、１つの支持体、複数の支持体が設けられている場合には少なくとも幾つかの支持体または全ての支持体を中空シリンダとして、有利には円形の中空シリンダとして実施することができる。その種の実施形態では、測定管をケーシングと結合する支持体上または支持体内に磁界形成装置に属する磁気コイルを設けることができる、および／または、測定管をケーシングと結合させる支持体内に、誘導された電圧を取り出す電極を配置することができる。
【００１４】
磁気誘導性の流量測定器においては、測定管が、通常のように、流量が測定されるべき流体用の流路を表す。しかしながら、本発明による磁気誘導性の流量測定器の殊に有利な実施形態は、前述の通常の実施形態とは異なる構成で実現されている。すなわちこの実施形態は、ケーシング内に少なくとも１つの測定管形成エレメント、有利には２つの測定管形成エレメントが設けられており、１つまたは複数の測定管形成エレメントがケーシングの内側表面の一部と共に測定管を形成することを特徴とする。本発明による磁気誘導性の流量測定器のこの殊に有利な実施形態においては、１つの測定管形成エレメントないし複数の測定管形成エレメント自体が、流量が測定されるべき流体用の流路を形成しない。むしろ、この実施形態においては、１つの測定管形成エレメントまたは複数の測定管形成エレメントとケーシングの内側表面の一部とから構成されている流路が測定管、すなわち流体用の流路を形成する。この実施形態は、１つの測定管形成エレメントないし複数の測定管形成エレメントを非常に簡単に、殊に流体技術的および／または誘導技術的（またしたがって測定技術的）な要求を考慮して非常に簡単に成形することができるという利点を有する。殊に、この実施形態においては、非常に簡単に測定管、具体的には測定管形成エレメントを中央領域において、すなわち通常は電極が設けられている領域において平坦に実施することができる。しかしながらまた、測定管、具体的には測定管形成エレメントが中央領域において、すなわち通常は電極が設けられている領域においてケーシングの曲率半径よりも大きい曲率半径を有するように実施することも可能である。
【００１５】
前述したように、独立してそれ自体が有意義である本発明の別の教示によれば、測定管は機能的に、有利には異なる曲率半径を有する複数の区間から構成されている。ここで「機能的」とは、測定管をマルチピースでもワンピースでも実施できることを意味しているが、有利には測定管はワンピースで実施されている。
【００１６】
有利には、本発明による磁気誘導性の流量測定器の前述の実施形態において、測定管が機能的に３つの区間、すなわち中央区間とこの中央区間にそれぞれ続いている端部区間とから構成されている。端部区間は流体入口と流体出口を表す。
【００１７】
さらに有利な実施形態においては、測定管を機能的に５つの区間、すなわち中央区間と、この中央区間にそれぞれ続いている移行区間と、この移行区間にそれぞれ続いている端部区間とから構成することができる。
【００１８】
本発明による磁気誘導性の流量測定器の前述の実施形態においては、上記の通り、個々の区間が異なる曲率半径を有することができる。測定管が機能的に３つの区間から構成されている場合には、中央区間の曲率半径が端部区間の曲率半径よりも大きい実施形態が推奨される。測定管が機能的に５つの区間から構成されている場合には、さらに中央区間の曲率半径が移行区間の曲率半径よりも大きい実施形態が推奨される。この場合には、端部区間が無限大に向かう曲率半径を有し、有利には測定管の長手方向軸に対して約４０°〜５０°、殊に約４５°の角度で移行領域に続く実施形態が推奨される。
【００１９】
磁気誘導性の流量測定器においては、可能な限り短い構造長、可能な限り僅かな圧力低下、また流体内に生じている圧力に起因した可能な限り僅かな変形が達成されようとされる。この三重の目標設定は妥協を必要とする。上記の目標設定を考慮すると、前述の実施形態、すなわち測定管が機能的に、有利には異なる曲率半径を有する複数の区間から構成されている実施形態が最適である。
【００２０】
別の視点のもとで、本発明による磁気誘導性の流量測定器の有利な実施形態は、測定管の中央の領域における壁の厚みが測定管の入口および出口における壁の厚みよりも薄いことを特徴とする。この場合には、トレードオフに「対峙」しなければならない。一方では、測定管ないし１つまたは複数の測定管形成エレメントの壁の厚みは測定管の中央領域において非常に薄くあるべきである。何故ならば、そのように壁の厚みが非常に薄い場合には、測定管ないし測定管の中央領域における１つまたは複数の測定管形成エレメントを非常に簡単に形成することができ、これは流体技術的な観点また誘導技術的な観点、したがってそれらと共に測定技術的な観点から達成されるべきことである。しかしながら他方では、測定管内に生じている圧力を考慮して、測定管の所定の圧力耐性が中央領域においても必要とされる。このトレードオフは、本発明による磁気誘導性の流量測定器において、上述のように、測定管の中央領域にこの測定管をケーシングと結合させる少なくとも１つの補強部が設けられていることによって解決されている。
【００２１】
上記において何度も述べたように、本発明による磁気誘導性の流量測定器においては、測定管の中央領域に、この測定管をケーシングと結合させる少なくとも１つの補強部が設けられており、この補強部が少なくとも１つの支持体として実施されている。中央領域における測定管ないし１つまたは複数の測定管の壁の厚みが測定管の入口および出口における壁の厚みよりも薄い場合、殊に壁の厚みが絶対的な基準のもとで比較的薄い場合には、しかしながらそのような場合のみではないが、測定管ないし１つまたは複数の測定管形成エレメントが支持体リングをサポートするために使用される締結エレメントないし測定管サポートエレメント、または支持体をサポートするために使用される締結エレメントを有することを特徴とする特別な実施形態が推奨される。
【００２２】
冒頭で述べたように、磁気誘導性の流量測定器に属する磁界形成装置は通常の場合、電流が流される２つの磁気コイルを有する。本発明による磁気誘導性の流量測定器の前述の実施形態においては、サポートエレメントを磁界形成装置の磁気コイルに属する通路として実施することができる。例えば、サポートエレメントを磁界形成装置の磁気コイルのためのポールシューとして実施することができる。
【００２３】
磁気誘導性の流量測定器に関しては通常の場合、測定管に非磁性の材料が使用される。この非磁性の材料は基本的にプラスチックでよいが、ステンレス鋼、すなわち特殊鋼もしばしば使用される。本発明による磁気誘導性の流量測定器においても、測定管ないし１つまたは複数の測定管形成エレメントはステンレス鋼から構成されているが、軟磁性鋼も使用することができる。
【００２４】
通常の磁気誘導性の流量測定器と同様に、本発明による磁気誘導性の流量測定器においても、絶縁性の被覆層が内部に少なくとも部分的に設けられていることが推奨され、しかもこれは絶縁性の被覆層が電極の領域に部分的にしか設けられていない場合に推奨される。しかしながら、本発明による磁気誘導性の流量測定器の内側全体に絶縁性の被覆層を設けることにも多くの理由が存在する。
【００２５】
最後に、構造的な構成および製造技術的な実現に関連して、本発明による磁気誘導性の流量測定器では、測定管ないし１つまたは複数の測定管形成エレメントをケーシングよりも短くする、および／または、測定管ないし１つまたは複数の測定管形成エレメントとケーシングを溶接によって相互に結合させることが提案されている。
【００２６】
詳細には、本発明による磁気誘導性の流量測定器を個別に実現ないし構成および／または発展させる種々の可能性が存在する。それに関しては、請求項１を引用する請求項、また添付の図面を参照する実施例についての下記の説明を参照されたい。
【図面の簡単な説明】
【００２７】
【図１】本発明による磁気誘導性の流量測定器の有利な実施例の長手方向の非常に概略的な斜視断面図を示す。
【図２】本発明による磁気誘導性の流量測定器に属する測定管の有利な実施例を示す。
【図３】本発明による磁気誘導性の流量測定器に属する測定管の別の有利な実施例を示す。
【００２８】
図面において（実質的には単に概略的に）示されている磁気誘導性の流量測定器は流体の流量の測定に適したものであり、機能上不可欠な測定管１と、この測定管１を少なくとも部分的に貫通する磁界を形成し、また図示されていない２つの磁気コイル２が配属されている、図示されていない磁界形成装置と、流体に誘導される測定電圧を取り出すための同様に図示されていない２つの電極とを有する。図示されていない磁気誘導性の流量測定器にはさらに、測定管１と磁界形成装置と電極とを収容するケーシング２が属しており、このケーシング２は円形の断面を有し、また図示されている実施例においては両側にフランジ３，４が設けられている。
【００２９】
殊に本発明による磁気誘導性の流量測定器は、測定管１の中央領域においてこの測定管１をケーシング２と結合させる少なくとも１つの補強部が設けられている。有利には、補強部として少なくとも１つの支持体が設けられている。殊に、補強部としてただ１つの支持体が設けられている場合、しかしながらそのような場合のみではないが、測定管の中央領域に、この測定管を包囲する補強部リングを設け、この補強部リングおよび補強部を介して、すなわち必要に応じて補強部として設けられている支持体を介して測定管をケーシングと結合させることが提案されるが、これは図示されていない。
【００３０】
確かに、本発明による磁気誘導性の流量測定器においては、補強部として測定管とケーシングとの間にただ１つの支持体のみを設けることができるが、そのような非対称的な構造は推奨されない。むしろ、図面にも示されているように、測定管１をケーシング２と結合させる２つの支持体５，６が設けられている。
【００３１】
本発明による磁気誘導性の流量測定器において、測定管の中央領域に測定管を包囲する補強部リングを設けることができることは上記において既に示唆した。ケーシングも補強することができ、しかも、ケーシングの中央領域に（内側または外側に配置されている）補強部リングを設けることによって補強することができるが、これは図示していない。
【００３２】
図１にも図２にも示されているように、本発明による磁気誘導性の流量測定器の図示されている実施例に関しては、支持体５，６が円環状の中空シリンダとして実施されている。図示されてはいないが、支持体上に、または相応の実施形態においては、支持体の内部に、磁界形成装置に属する磁気コイルを設けることができる、および／または、支持体の内部に電極を設けることができる。
【００３３】
本発明による磁気誘導性の流量測定器においては、測定管は通常のように、流量が測定されるべき流体用の流路を表す。しかしながら図面、殊に図１においては、上記の慣例の実施形態とは異なるように実現されている、すなわち、ケーシング２内に２つの測定管形成エレメント７，８が設けられており、且つこれらの測定管形成エレメント７，８がケーシング２の内側表面９の一部と共に測定管１を形成することを特徴としている、本発明による磁気誘導性の流量測定器の有利な実施形態が示されている。すなわち、この殊に有利な本発明による磁気誘導性の流量測定器の実施形態において、測定管形成エレメント７，８はそれのみで、流量が測定されるべき流体用の流路を形成しない。すなわち、測定管形成エレメント７，８は単独で測定管１を形成しない。むしろこの実施形態においては、測定管１が測定管形成エレメント７，８およびケーシング２の内側表面９の一部から構成されている。このことは殊に、測定管形成エレメント７，８を非常に簡単に、とりわけ流体技術的および／または誘導技術的、またしたがって測定技術的な要求を考慮して形成することができるという利点を有する。殊にこの実施形態においては、非常に簡単に測定管１、具体的には測定管形成エレメント７，８を中央領域において、すなわち通常は電極が設けられている領域において、図示されているように平坦に実施することができる。図示されてはいないが、測定管、具体的には測定管形成エレメントを中央領域において、ケーシングの曲率半径よりも大きい曲率半径を有するように実施することも可能である。
【００３４】
上述のように、殊に重要な本発明の別の教示は、測定管１は機能的に、有利には異なる曲率半径を有する複数の区間から構成されていることを特徴とする。詳細には、測定管を機能的に３つの区間、すなわち中央区間１０と、この中央区間１０にそれぞれ続いている端部区間１１，１２とから構成することができる。しかしながら図３に示されている実施例はそれ以上の区間が設けられている。この実施例においては、測定管１を機能的に５つの区間、すなわち中央区間１０と、この中央区間１０にそれぞれ続いている移行区間１３，１４と、この移行区間１３，１４にそれぞれ続いている端部区間１１，１２とから構成することができる。詳細には、中央区間１０の曲率半径は、移行区間１３，１４の曲率半径よりも大きく、端部区間１１，１２は無限大に向かう曲率半径を有し、また端部区間１１，１２は測定管１の長手方向軸に対して約４０°〜５０°、有利には約４５°の角度で移行区間１３，１４に続いている。
【００３５】
図示していないが、それにもかかわらず、測定管１の中央領域における壁の厚みが測定管１の入口および出口における厚みよりも薄い、本発明による磁気誘導性の流量測定器は非常に有意義である。その種の実施形態によれば、トレードオフに「対峙」しなければならない。一方では、測定管１ないし測定管形成エレメント７，８の壁の厚みは測定管１の中央領域においても非常に薄くあるべきである。何故ならば、壁の厚みが非常に薄い場合には、測定管１ないし測定管形成エレメント７，８を非常に簡単に形成することができ、これは流体技術的な観点また誘導技術的な観点、したがってそれらと共に測定技術的な観点から達成されるべきことである。測定管内には特定の圧力が生じているので、他方では測定管の所定の圧力耐性が中央領域においても必要とされる。本発明によればこのトレードオフは解決されている。すなわち、本発明による磁気誘導性の流量測定器では測定管１の中央領域に、この測定管１をケーシングと結合させる少なくとも１つの補強部が設けられており、実施例においては補強部として２つの支持体５，６が測定管１とケーシング２との間に設けられていることによって解決されている。
【００３６】
最後に、図面に詳細には図示していないが、測定管１には絶縁性の被覆層を少なくとも部分的に設けることができ、測定管１ないし測定管形成エレメント７，８をケーシング２よりも短くすることができる、および／または、測定管１ないし測定管形成エレメント７，８およびケーシング２を溶接によって相互に結合できることを言及しておく。
【図１】
2010122216.tif 000003
【図２】
2010122216.tif 000004
【図３】
2010122216.tif 000005